【手続補正書】
【提出日】令和3年9月29日(2021.9.29)
【手続補正１】
【補正対象書類名】明細書
【補正対象項目名】００１０
【補正方法】変更
【補正の内容】
【００１０】
この為、ベルトを生体に装着した状態で、第２孔の生体側から荷重が印加されると、インサートの第２孔間の部分は、側面で荷重を受ける。この為、インサートの第２孔間の部分の周囲に応力が集中することを抑制できるので、ベルト本体内の割れを抑制できる。結果、ベルトの耐久性を向上できる。
【手続補正２】
【補正対象書類名】明細書
【補正対象項目名】００１１
【補正方法】変更
【補正の内容】
【００１１】
上記一態様のベルトにおいて、前記インサートは、前記第２ベルトの形成に用いられる型内での位置決めをする位置決め部を有するベルトが提供される。
【手続補正３】
【補正対象書類名】明細書
【補正対象項目名】００１５
【補正方法】変更
【補正の内容】
【００１５】
この為、ベルトを生体に装着した状態で、第２孔の生体側から荷重が印加されると、インサートの第２孔間の部分は、側面で荷重を受ける。この為、インサートの第２孔間の部分の周囲に応力が集中することを抑制できるので、ベルト本体内の割れを抑制できる。結果、ベルトの耐久性を向上できる。
【手続補正４】
【補正対象書類名】明細書
【補正対象項目名】００４９
【補正方法】変更
【補正の内容】
【００４９】
つく棒６１ｅは、図１１及び図２４に示すように、支持部６１ｆと、棒部６１ｇと、を有する。支持部６１ｆは、内側に枠状体６１ｄの一辺を回転可能に配置する環状に構成される。  
棒部６１ｇは、支持部６１ｆと一体に形成される。棒部６１ｇは、２つの屈曲部を有する形状に構成される。具体例として、棒部６１ｇは、支持部６１ｆに連続する第１の部分６１ｇ１と、第１の部分６１ｇ１に対して屈曲して連続する第２の部分６１ｇ２と、第２の部分６１ｇ２に対して屈曲して連続する第３の部分６１ｇ３と、を有し、第１の部分６１ｇ１及び第２の部分６１ｇ２により１つの屈曲部が構成され、第２の部分６１ｇ２及び第３の部分６１ｇ３により１つの屈曲部が構成される。
【手続補正５】
【補正対象書類名】明細書
【補正対象項目名】００５２
【補正方法】変更
【補正の内容】
【００５２】
また、第２の部分６１ｇ２は、血圧測定装置１を手首２００に装着したときに、小孔６２ａの手首２００側の縁に当接し、当該縁に対して、第２ベルト６２の後述する第２インサート６６の側面６９ｃに向かって荷重を印加する形状を有している。
【手続補正６】
【補正対象書類名】明細書
【補正対象項目名】００５３
【補正方法】変更
【補正の内容】
【００５３】
具体的には、第２の部分６１ｇ２と第１の部分６１ｇ１とのなす角度αは、第２の部分６１ｇ２から小孔６２ａの縁に印加される荷重の方向が、第２インサート６６の側面６９ｃに直交する方向、または、略直交する方向となる角度に設定されている。角度αは、例えば１２０度である。
【手続補正７】
【補正対象書類名】明細書
【補正対象項目名】００６７
【補正方法】変更
【補正の内容】
【００６７】
また、孔補強部６９は、隣り合う小孔６２ａ間に配置される。具体的には、孔補強部６９の中心は、隣り合う２つの小孔６２ａの間の部分の中心に配置される。また、孔補強部６９の、第２ベルト６２の長手方向に沿う長さは、血圧測定装置１の使用時に、孔補強部６９に変形が生じない程度の長さを有している。  
なお、第２ベルト６２の隣接する２つの小孔６２ａ間の第２ベルト６２の長手方向に沿う長さＬ１は、ベルト４を様々な使用者の手首２００に対して適切な締め付け力により装着可能であり、かつ、第２ベルト６２の隣接する２つの小孔６２ａ間の部分の強度を、血圧測定に起因して当該部分が延びる等の変形を生じることがない強度にすることが可能な長さに設定されている。  
ここで言う、隣接する２つの小孔６２ａの第２ベルト６２の長手方向に沿う長さＬ１とは、互いに対向する、一方の小孔６２ａの縁及び他方の小孔６２ａの縁間の、第２ベルト６２の長手方向に沿う最短の長さである。すなわち、長さＬ１は、第２ベルト６２の、隣接する２つの小孔６２ａに挟まれた部分の、第２ベルト６２の長手方向に沿う最短の長さである。
本実施形態では、小孔６２ａは、一例として、第２ベルト６２の長手方向に直交する幅方向に長い長孔状に形成されており、幅方向に平行な２つの縁を有する構成である。この為、本実施形態では、図９に示すように、隣接する２つの小孔６２ａ間の第２ベルト６２の長手方向に沿う長さＬ１は、隣接する２つの小孔６２ａの幅方向に沿う縁間の第２ベルト６２の長手方向に沿う長さである。隣接する２つの小孔６２ａ間の第２ベルト６２の長手方向に沿う長さＬ１の最適値は、４ｍｍである。  
また、ここで言う適切な締め付け力とは、血圧を正確に測定できる締め付け力である。隣接する２つの小孔６２ａ間の第２ベルト６２の長手方向に沿う長さＬ１を４ｍｍとすることにより、ベルト４による手首２００に対する締め付け力を細かく調整することが可能となる。この為、使用者によって手首２００の周方向の長さは異なるが、隣接する２つの小孔６２ａ間の第２ベルト６２の長手方向に沿う長さＬ１を４ｍｍとすることにより、様々な使用者の手首２００のそれぞれに対して、正確な血圧を測定可能とする締め付け力を生じさせる、つく棒６１ｅを挿入する小孔６２ａを選択できる。  
さらに、隣接する２つの小孔６２ａ間の第２ベルト６２の長手方向に沿う長さＬ１を４ｍｍとすることにより、第２ベルト６２の隣接する２つの小孔６２ａ間の部分の強度を、血圧測定によりつく棒６１ｅから入力される荷重に対しても、当該部分が変形することを防止できる強度とすることが可能となる。この為、繰り返しの血圧測定対しても、小孔６２ａに変形が生じないので、正確な血圧測定を行うことが可能となる。
【手続補正８】
【補正対象書類名】明細書
【補正対象項目名】００９９
【補正方法】変更
【補正の内容】
【００９９】
空気袋９１は、一方向に長い矩形状に構成される。空気袋９１は、例えば、一方向に長い二枚のシート部材９６を組み合わせ、縁部を熱により溶着することで構成される。具体例として、空気袋９１は、図１５及び図１９に示すように、生体側から第５シート部材９６ａ及び第６シート部材９６ｂを備える。
【手続補正９】
【補正対象書類名】明細書
【補正対象項目名】０１１９
【補正方法】変更
【補正の内容】
【０１１９】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正１０】
【補正対象書類名】明細書
【補正対象項目名】０１２９
【補正方法】変更
【補正の内容】
【０１２９】
また、ベルト４及びカーラ５が、手首２００の両側方に向かって移動することにより、図２４に示すように、尾錠６１ｃのつく棒６１ｅは、当接した小孔６２ａの縁に押し付けられる。この為、つく棒６１ｅは、小孔６２ａの縁に荷重を印加する。この荷重の作用方向は、側面６９ｃに直交する方向に平行または略平行となる。
【手続補正１１】
【補正対象書類名】明細書
【補正対象項目名】０１３３
【補正方法】変更
【補正の内容】
【０１３３】
このように構成された一実施形態に係る血圧測定装置１は、手首２００に装着されたときに、ベルト４が手首２００の形状に倣って湾曲する。さらに、つく棒６１ｅの第２の部分６１ｇ２の一部は、小孔６２ａの手首２００側の縁の、第２ベルト６２の長手方向で支持部６１ｆ側の部分に当接する。そして、カフ構造体６が膨張することでベルト４が広がる方向に引っ張られ、つく棒６１ｅから第１ベルト本体６３に荷重が入力される。ベルト４が広がる方向に引っ張られることにより、結果、つく棒６１ｅから第１ベルト本体６３に印加される荷重が大きくなる。このとき、つく棒６１ｅから印加される荷重は、孔補強部６９に向かって作用する。
【手続補正１２】
【補正対象書類名】明細書
【補正対象項目名】０１３４
【補正方法】変更
【補正の内容】
【０１３４】
しかしながら、本実施形態では、孔補強部６９の第１面６９ａが、第２面６９ｂに対して手首２００側に配置される構成である。この為、側面６９ｃが、小孔６２ａの手首２００側の縁の、第２ベルト６２の長手方向で支持部６１ｆ側の部分に対向するようになる。結果、孔補強部６９は、つく棒６１ｅから印加される荷重の一部を、側面６９ｃで受ける。面で荷重を受けることで応力集中を抑制できるので、第１ベルト本体６３内の割れを抑制できる。この為、第２ベルト６２の耐久性を向上できる。
【手続補正１３】
【補正対象書類名】明細書
【補正対象項目名】０１３５
【補正方法】変更
【補正の内容】
【０１３５】
さらに、つく棒６１ｅから印加される荷重の一部は、第１面６９ａ及び側面６９ｃがなす角部にも作用するが、この角部が鈍角に構成されることで、この角部に応力が集中することを抑制できる。この為、当該角部の周囲に割れが生じることを抑制できる。この為、第２ベルト６２の耐久性を向上できる。
【手続補正１４】
【補正対象書類名】明細書
【補正対象項目名】０１４０
【補正方法】変更
【補正の内容】
【０１４０】
図２５は、第２の実施形態に係る血圧測定装置１の第２ベルト６２を示す断面図である。図２５に示すように、第２の実施形態に係る血圧測定装置１は、第１ベルト６１及び第２ベルト６２の接続に、尾錠６１ｃに代えて、例えばバタフライバックル１１０が用いられる。バタフライバックル１１０は、第１ベルト６１に固定される第１固定部と、第２ベルト６２に固定される第２固定部１１１と、を備える。
【手続補正１５】
【補正対象書類名】明細書
【補正対象項目名】０１４１
【補正方法】変更
【補正の内容】
【０１４１】
第２固定部１１１は、小孔６２ａに挿入されるピン１１２を有している。第２固定部１
１１は、ピン１１２が小孔６２ａに挿入された状態で、第２ベルト６２に固定される。第２固定部１１１は、第２ベルト６２の手首２００と反対側の面に配置されている。ピン１１２の一部は、小孔６２ａの手首２００側の縁の、第２ベルト６２の長手方向で支持部６１ｆ側の部分に、第２ベルト６２の長手方向に対向する。なお、ピン１１２の先端は、一例として、小孔６２ａから出ている。
このように構成されたバタフライバックルを備える第２の実施形態に係る血圧測定装置１は、ベルト４が手首２００に装着されることで手首２００の周面に倣って湾曲し、かつ、カフ構造体６が膨張した状態では、ピン１１２の一部が、小孔６２ａの手首２００側の縁の、第２ベルト６２の長手方向で支持部６１ｆ側の部分に当接して荷重を印加する。
【手続補正１６】
【補正対象書類名】明細書
【補正対象項目名】０１４２
【補正方法】変更
【補正の内容】
【０１４２】
この為、第１の実施形態と同様に、孔補強部６９は、ピン１１２から印加される荷重の一部を、側面６９ｃで受ける。このように、荷重を面で受けるので、第２ベルト本体６５内の応力集中を抑制できる。結果、第２ベルト本体６５内の割れを抑制できるので、第２ベルト６２の耐久性を向上できる。
【手続補正１７】
【補正対象書類名】明細書
【補正対象項目名】０１４３
【補正方法】変更
【補正の内容】
【０１４３】
［第３の実施形態］
次に、血圧測定装置１の第３の実施形態について、図２６を用いて説明する。なお、第３の実施形態に係る血圧測定装置１は、第２ベルト６２の第２インサート６６が嵌合部６７ａを有さず、一部が左右非対称な形状に形成される構成であり、この点で、嵌合部６７ａを有する構成の第１の実施形態の血圧測定装置１と異なる。この為、第３の実施形態の血圧測定装置１の構成のうち、上述した第１の実施形態に係る血圧測定装置１と同様の構成については同一符号を付して説明するとともに、その説明及び図示を適宜省略する。
【手続補正１８】
【補正対象書類名】明細書
【補正対象項目名】０１４４
【補正方法】変更
【補正の内容】
【０１４４】
図２６は、第２インサート６６の構成を示す平面図である。図２６に示すように、第３の実施形態の第２インサート６６は、嵌合部６７ａが形成されていない。さらに、第２インサート６６は、一部が左右非対称な形状に構成される。この、第３の実施形態の第２インサート６６の左右非対称な形状に構成される部位以外は、第１の実施形態の第２インサート６６と同一の形状を有する。
【手続補正１９】
【補正対象書類名】明細書
【補正対象項目名】０１４７
【補正方法】変更
【補正の内容】
【０１４７】
この部位の一例として、一次成型品６２Ａの形成に用いられた第１金型２２１に、第２インサート６６が嵌る凹部が形成される構成であってもよい。この凹部は、第１肩部１２１が嵌る部分、及び第２肩部１２２が嵌る部分を有する。この為、第２インサート６６が、正しい姿勢に対して上下が反転した姿勢で第１金型２２１に設置されると、第１肩部１２１が、第１金型２２１の第２肩部１２２が嵌る部分に対向し、第２肩部１２２が、第１金型２２１の第１肩部１２１が嵌る部分に対向する。この為、第２インサート６６が、第１金型２２１の凹部に嵌らない。結果、作業者等は、第２インサート６６が正しい姿勢ではないことに気づくことが可能となる。なお、ここで言う、第２インサート６６の正しい姿勢とは、孔補強部６９の第１面６９ａが第２面６９ｂに対して手首２００側に配置される姿勢である。
【手続補正２０】
【補正対象書類名】明細書
【補正対象項目名】０１５５
【補正方法】変更
【補正の内容】
【０１５５】
この構成によれば、小孔６２ａ及び孔６８の間の第２ベルト６２の長手方向に沿う厚み部分が小さくなる。結果、つく棒６１ｅまたはピン１１２から印加される荷重により変形する変形代を小さくできることから、第２ベルト６２の表面の割れを抑制できる。
【手続補正２１】
【補正対象書類名】明細書
【補正対象項目名】０１５８
【補正方法】変更
【補正の内容】
【０１５８】
板状の部材に対してレーザー加工による抜き加工を施すことにより形成された第２インサート６６の孔補強部６９の側面６９ｃは、レーザーの照射による熱が板状の部材の厚み方向に次第に低下することから、傾斜を有する形状に構成される。結果、レーザー加工による抜き加工により形成された第２インサート６６の孔補強部６９は、第１の実施形態の血圧測定装置１の第２インサート６６の孔補強部６９と同様に、一方の側面６９ｃ及び第１面６９ａのなす角度が鈍角となり、他方の側面６９ｃ及び第１面６９ａのなす角度が鈍角となり、一方の側面６９ｃ及び第２面６９ｂのなす角度が鋭角となり、他方の側面６９ｃ及び第２面６９ｂのなす角度が鋭角となる、断面台形状に構成される。
【手続補正２２】
【補正対象書類名】明細書
【補正対象項目名】０１６３
【補正方法】変更
【補正の内容】
【０１６３】
または、断面が長方形状に構成された孔補強部６９は、図３１に示すように、図２７に示す変形例と同様に、小孔６２ａに寄った位置に配置されてもよい。または、断面が長方形状に構成された孔補強部６９の厚みは、図３２に示すように、図２８に示す変形例と同様に大きく構成されてもよい。